(57)【要約】【課題】閉磁路コアの他磁脚部とセンターコアとの距離を精度よく位置規制し、センターコアを通過する磁束量のばらつきを低減して、特性向上を図ったラインフィルタを提供することを目的としている。【解決手段】センターコア４９の一端はボビン４５の分割溝４１に嵌合するように配置するとともに、他端は端子台５０の溝部５６に嵌合するように配置し、かつ、閉磁路コア４８の他磁脚部４７は端子台５０の壁部５８の一面６０に接触させた構成である。【選択図】  図１
2004153216.tif 000002
【特許請求の範囲】
【請求項１】
分割溝を介して第１巻線及び第２巻線を巻回するとともに巻軸方向に貫通孔を有するボビンと、前記ボビンの貫通孔に一磁脚部を挿入した閉磁路コアと、前記閉磁路コアの一磁脚部に対向した他磁脚部と前記一磁脚部との間に配置したセンターコアと、前記ボビンを載置した端子台と、前記端子台に植設し、前記第１巻線及び前記第２巻線を接続した端子とを備え、前記端子台には、前記センターコアと対向する位置に溝部を形成するとともに、前記閉磁路コアの一磁脚部と他磁脚部との間に切欠部を有する壁部を延設し、前記センターコアの一端を前記ボビンの分割溝に配置するとともに、他端を前記端子台の溝部に配置し、かつ、前記閉磁路コアの他磁脚部を前記壁部の一面に接触させており、前記センターコアの一端と前記閉磁路コアの一磁脚部とよりも、前記センターコアの他端と前記閉磁路コアの他磁脚部とを、前記壁部の切欠部を介して、非接触するように近接対向させたラインフィルタ。
【請求項２】
溝部の深さは、基準面から前記溝部の底面までの距離寸法が、基準面から閉磁路コアの他磁脚部と接触した壁部の一面までの距離寸法未満とした請求項１記載のラインフィルタ。
【請求項３】
センターコアの形状は方形の平板状とした請求項１記載のラインフィルタ。
【請求項４】
センターコアの一端はボビンの分割溝に嵌合するように配置するとともに、他端を端子台の溝部に嵌合するように配置した請求項１記載のラインフィルタ。
【請求項５】
ボビンに凹凸部を設けるとともに、端子台に前記凹凸部に嵌合する嵌合部を設け、前記ボビンの凹凸部と前記端子台の嵌合部とを嵌合させて、前記ボビンを前記端子台に載置した請求項１記載のラインフィルタ。
【請求項６】
ボビンは２つの分割ボビンを分割面で組み合わせて形成するとともに、２つの前記分割ボビンの非分割面に前記ボビンの分割溝を形成した請求項１記載のラインフィルタ。
【請求項７】
ボビンの分割溝または壁部の溝部またはセンターコアにテーパ部を設けた請求項１記載のラインフィルタ。
【発明の詳細な説明】
【０００１】
【発明の属する技術分野】
本発明は、各種電子機器等に用いるラインフィルタに関するものである。
【０００２】
【従来の技術】
以下、従来のラインフィルタについて図面を参照しながら説明する。
【０００３】
図１０は従来のラインフィルタの斜視図、図１１は同ラインフィルタのボビンの分解斜視図、図１２は同ラインフィルタのセンターコアの斜視図である。
【０００４】
図１０〜図１２において、従来のラインフィルタは、分割鍔３４を介して第１巻線２４及び第２巻線２５を巻回するとともに、巻軸方向に貫通孔２２を有するボビン２３と、このボビン２３の貫通孔２２に一磁脚部２６を挿入した閉磁路コア２８と、この閉磁路コア２８の一磁脚部２６に対向した他磁脚部２７と一磁脚部２６との間に配置したセンターコア３２と、ボビン２３を載置した端子台２９と、この端子台２９に植設し、第１巻線２４及び第２巻線２５を接続した端子３６とを備えている。
【０００５】
ボビン２３は、貫通孔２２の方向に対して平行に２分割し、分割ボビン３３の分割面を互いに組み合わせて形成している。この分割ボビン３３の分割鍔３４には、分割ボビン３３の内周面側を開口部とした凹部３５を設け、この凹部３５に磁性体からなるセンターコア３２を配置し係止している。
【０００６】
これにより、従来のラインフィルタでは、コモンモードノイズの除去だけでなく、センターコア３２を磁束が通過するため、ノーマルモードノイズをも除去することができる。
【０００７】
なお、この出願の発明に関連する先行技術文献情報としては、例えば、特許文献１が知られている。
【０００８】
【特許文献１】
特開２０００−１９５７３０号公報
【０００９】
【発明が解決しようとする課題】
上記従来の構成では、分割ボビン３３の内周面側から、分割鍔３４の凹部３５に、センターコア３２を押し込むことによって配置していたので、センターコア３２の挿入深さがばらつきやすい。
【００１０】
そのため、閉磁路コア２８の他磁脚部２７とセンターコア３２との距離を精度よく位置規制できず、センターコア３２を通過する磁束量もばらつき、特性劣化を生じるという問題点を有していた。
【００１１】
本発明は上記問題点を解決し、閉磁路コアの他磁脚部とセンターコアとの距離を精度よく位置規制し、センターコアを通過する磁束量のばらつきを低減して、特性向上を図ったラインフィルタを提供することを目的としている。
【００１２】
【課題を解決するための手段】
上記目的を達成するために本発明は以下の構成を有する。
【００１３】
本発明の請求項１記載の発明は、特に、端子台には、センターコアと対向する位置に溝部を形成するとともに、閉磁路コアの一磁脚部と他磁脚部との間に切欠部を有する壁部を延設し、前記センターコアの一端をボビンの分割溝に配置するとともに、他端を前記端子台の溝部に配置し、かつ、前記閉磁路コアの他磁脚部を前記壁部の一面に接触させており、前記センターコアの一端と前記閉磁路コアの一磁脚部とよりも、前記センターコアの他端と前記閉磁路コアの他磁脚部とを、前記壁部の切欠部を介して、非接触するように近接対向させた構成である。
【００１４】
上記構成により、センターコアの一端をボビンの分割溝に配置するとともに、他端を端子台の溝部に配置しているので、センターコアの位置決めを容易にし、かつ、閉磁路コアの他磁脚部を端子台に延設した壁部の一面に接触させているので、閉磁路コアの位置決めも容易となり、閉磁路コアの他磁脚部とセンターコアとの距離を精度よく位置規制することができ、センターコアを通過する磁束量のばらつきを低減して、特性向上を図れる。
【００１５】
特に、センターコアの一端と閉磁路コアの一磁脚部とよりも、センターコアの他端と閉磁路コアの他磁脚部とを、壁部の切欠部を介して、非接触するように近接対向させているので、センターコアに磁束を効率よく通過させ、ノーマルモードノイズを的確に除去できるとともに、センターコアが閉磁路コアと非接触なので、駆動時の磁歪に起因して、センターコアまたは閉磁路コアが振動接触することもなく、コア割れ防止も図れる。
【００１６】
本発明の請求項２記載の発明は、特に、溝部の深さは、基準面から前記溝部の底面までの距離寸法が、基準面から閉磁路コアの他磁脚部と接触した壁部の一面までの距離寸法未満とした構成である。
【００１７】
上記構成により、溝部の深さを規定しているので、一層、センターコアに磁束を効率よく通過させ、ノーマルモードノイズを的確に除去できるとともに、駆動時の磁歪に起因して、センターコアまたは閉磁路コアが振動接触することもなく、コア割れ防止も図れる。
【００１８】
本発明の請求項３記載の発明は、特に、センターコアの形状は方形の平板状とした構成である。
【００１９】
上記構成により、センターコアの形状が方形の平板状という簡素な形状なので、配置が容易である。
【００２０】
本発明の請求項４記載の発明は、特に、センターコアの一端はボビンの分割溝に嵌合するように配置するとともに、他端を端子台の溝部に嵌合するように配置した構成である。
【００２１】
上記構成により、センターコアをボビンの分割溝及び端子台の溝部に嵌合できるので、センターコアの脱落防止を図れる。
【００２２】
本発明の請求項５記載の発明は、特に、ボビンに凹凸部を設けるとともに、端子台に前記凹凸部に嵌合する嵌合部を設け、前記ボビンの凹凸部と前記端子台の嵌合部とを嵌合させて、前記ボビンを前記端子台に載置した構成である。
【００２３】
上記構成により、端子台に対するボビンの位置決めを的確にし、閉磁路コアの他磁脚部とセンターコアとの距離をより精度よく位置規制できるとともに、ボビンの脱落防止を図れる。
【００２４】
本発明の請求項６記載の発明は、特に、ボビンは２つの分割ボビンを分割面で組み合わせて形成するとともに、２つの前記分割ボビンの非分割面に前記ボビンの分割溝を形成した構成である。
【００２５】
上記構成により、分割ボビンの非分割面に分割溝を形成するので、分割ボビンの強度を損なうことがない。
【００２６】
本発明の請求項７記載の発明は、特に、ボビンの分割溝または壁部の溝部またはセンターコアにテーパ部を設けた構成である。
【００２７】
上記構成により、センターコアを容易に挿入できる。
【００２８】
【発明の実施の形態】
以下、本発明の一実施の形態におけるラインフィルタについて、図面を参照しながら説明する。
【００２９】
図１は本発明の一実施の形態におけるラインフィルタの斜視図、図２は同ラインフィルタの平面断面図、図３は同ラインフィルタのＡ部の拡大平面断面図、図４は同ラインフィルタの側面断面図、図５はボビンと端子台との嵌合状態を示す同ラインフィルタの側面断面図、図６は同ラインフィルタの分解斜視図、図７は同ラインフィルタの端子台の斜視図である。
【００３０】
図１〜図７において、本発明の一実施の形態におけるラインフィルタは、分割溝４１を介して第１巻線４２及び第２巻線４３を巻回するとともに、巻軸方向に貫通孔４４を有するボビン４５と、このボビン４５の貫通孔４４に一磁脚部４６を挿入した閉磁路コア４８と、この閉磁路コア４８の一磁脚部４６に対向した他磁脚部４７と一磁脚部４６との間に配置した方形の平板状であるセンターコア４９と、ボビン４５を載置した端子台５０と、この端子台５０に植設し、第１巻線４２及び第２巻線４３を接続した端子５１とを備えている。
【００３１】
また、ボビン４５は２つの分割ボビン５２を分割面５３で組み合わせて形成するとともに、２つの分割ボビン５２の非分割面にボビン４５の分割溝４１を形成している。
【００３２】
さらに、ボビン４５に凹凸部５４を設けるとともに、端子台５０に凹凸部５４に嵌合する嵌合部５５を設け、ボビン４５の凹凸部５４と端子台５０の嵌合部５５とを嵌合させて、ボビン４５を端子台５０に載置している。
【００３３】
特に、端子台５０には、センターコア４９と対向する位置に溝部５６を形成するとともに、閉磁路コア４８の一磁脚部４６と他磁脚部４７との間に切欠部５７を有する壁部５８を延設している。
【００３４】
センターコア４９の一端はボビン４５の分割溝４１に嵌合するように配置するとともに、他端は端子台５０の溝部５６に嵌合するように配置し、かつ、閉磁路コア４８の他磁脚部４７は端子台５０の壁部５８の一面６０に接触させている。
【００３５】
この閉磁路コア４８の他磁脚部４７と端子台５０の壁部５８の一面６０とは、ボビン４５の貫通孔４４の内部における一磁脚部４６の可動範囲内で接触するものであり、この接触によって他磁脚部４７の位置を規制している。必ずしも、定常的に接触する必要はなく、一磁脚部４６の可動範囲内で接触すればよい。
【００３６】
溝部５６の深さは、基準面（Ａ）から溝部５６の底面５９までの距離寸法（Ｈ１）が、基準面（Ａ）から閉磁路コア４８の他磁脚部４７と接触した壁部５８の一面６０までの距離寸法（Ｈ２）未満になるようにしている。
【００３７】
そして、センターコア４９の一端と閉磁路コア４８の一磁脚部４６とよりも、センターコア４９の他端と閉磁路コア４８の他磁脚部４７とを、端子台５０の壁部５８の切欠部５７を介して、非接触するように近接対向させている。
【００３８】
これにより、コモンモードノイズの除去だけでなく、センターコア４９を磁束が通過するため、ノーマルモードノイズをも除去することができる。
【００３９】
上記構成のラインフィルタについて、以下その動作を説明する。
【００４０】
上記構成により、センターコア４９の一端をボビン４５の分割溝４１に配置するとともに、他端を端子台５０の溝部５６に配置しているので、センターコア４９の位置決めを容易にし、かつ、閉磁路コア４８の他磁脚部４７を端子台５０に延設した壁部５８の一面６０に接触させているので、閉磁路コア４８の位置決めも容易となり、閉磁路コア４８の他磁脚部４７とセンターコア４９との距離を精度よく位置規制することができ、センターコア４９を通過する磁束量のばらつきを低減して、特性向上を図れる。
【００４１】
特に、センターコア４９の一端と閉磁路コア４８の一磁脚部４６とよりも、センターコア４９の他端と閉磁路コア４８の他磁脚部４７とを、壁部５８の切欠部５７を介して、非接触するように近接対向させているので、センターコア４９に磁束を効率よく通過させ、ノーマルモードノイズを的確に除去できるとともに、センターコア４９が閉磁路コア４８と非接触なので、駆動時の磁歪に起因して、センターコア４９または閉磁路コア４８が振動接触することもなく、コア割れ防止も図れる。
【００４２】
このとき、溝部５６の深さは、基準面（Ａ）から溝部５６の底面５９までの距離寸法（Ｈ１）が、基準面（Ａ）から閉磁路コア４８の他磁脚部４７と接触した壁部５８の一面６０までの距離寸法（Ｈ２）未満になるように規定しているので、一層、センターコア４９に磁束を効率よく通過させ、ノーマルモードノイズを的確に除去できるとともに、駆動時の磁歪に起因して、センターコア４９または閉磁路コア４８が振動接触することもなく、コア割れ防止も図れる。
【００４３】
また、センターコア４９は、方形の平板状という簡素な形状なので配置が容易であるとともに、ボビン４５の分割溝４１及び端子台５０の溝部５６に嵌合配置できるので脱落防止も図れる。
【００４４】
さらに、ボビン４５の凹凸部５４と端子台５０の嵌合部５５とを嵌合させて、ボビン４５を端子台５０に載置しているので、端子台５０に対するボビン４５の位置決めを的確にし、閉磁路コア４８の他磁脚部４７とセンターコア４９との距離をより精度よく位置規制でき、ボビン４５の脱落防止を図れる。
【００４５】
そして、分割ボビン５２の分割面５３ではなく、非分割面に分割溝４１を形成するので、分割ボビン５２の強度を損なうことがない。
【００４６】
このように本発明の一実施の形態によれば、閉磁路コア４８の他磁脚部４７とセンターコア４９との距離を精度よく位置規制することができ、センターコア４９を通過する磁束量のばらつきを低減して、特性向上を図れる。
【００４７】
また、センターコア４９に磁束を効率よく通過させ、ノーマルモードノイズを的確に除去できるとともに、駆動時の磁歪に起因したセンターコア４９と閉磁路コア４８との振動接触もなくコア割れ防止も図れる。
【００４８】
なお、図８、図９に示すように、ボビン４５の分割溝４１または壁部５８の溝部５６またはセンターコア４９にテーパ部６１を設ければ、センターコア４９を容易に挿入できる。
【００４９】
【発明の効果】
以上のように本発明によれば、センターコアの一端をボビンの分割溝に配置するとともに、他端を端子台の溝部に配置しているので、センターコアの位置決めを容易にし、かつ、閉磁路コアの他磁脚部を端子台に延設した壁部の一面に接触させているので、閉磁路コアの位置決めも容易となる。
【００５０】
この結果、閉磁路コアの他磁脚部とセンターコアとの距離を精度よく位置規制することができ、センターコアを通過する磁束量のばらつきを低減して、特性向上を図ったラインフィルタを提供することができる。
【図面の簡単な説明】
【図１】本発明の一実施の形態におけるラインフィルタの斜視図
【図２】同ラインフィルタの平面断面図
【図３】同ラインフィルタのＡ部の拡大平面断面図
【図４】同ラインフィルタの側面断面図
【図５】ボビンと端子台との嵌合状態を示す同ラインフィルタの側面断面図
【図６】同ラインフィルタの分解斜視図
【図７】同ラインフィルタの端子台の斜視図
【図８】他の実施の形態におけるラインフィルタの平面断面図
【図９】同ラインフィルタのＡ部の拡大平面断面図
【図１０】従来のラインフィルタの斜視図
【図１１】同ラインフィルタのボビンの分解斜視図
【図１２】同ラインフィルタのセンターコアの斜視図
【符号の説明】
４１  分割溝
４２  第１巻線
４３  第２巻線
４４  貫通孔
４５  ボビン
４６  一磁脚部
４７  他磁脚部
４８  閉磁路コア
４９  センターコア
５０  端子台
５１  端子
５２  分割ボビン
５３  分割面
５４  凹凸部
５５  嵌合部
５６  溝部
５７  切欠部
５８  壁部
５９  底面
６０  一面
６１  テーパ部
【図１】
2004153216.tif 000003
【図２】
2004153216.tif 000004
【図３】
2004153216.tif 000005
【図４】
2004153216.tif 000006
【図５】
2004153216.tif 000007
【図６】
2004153216.tif 000008
【図７】
2004153216.tif 000009
【図８】
2004153216.tif 000010
【図９】
2004153216.tif 000011
【図１０】
2004153216.tif 000012
【図１１】
2004153216.tif 000013
【図１２】
2004153216.tif 000014